(57)【要約】【課題】要介護認定者を含んだ高齢者毎の家族、介護者又は高齢者の介護を行う施設から、個々の高齢者毎に見せたい及び見せたくない映像、画像等のジャンル等の注文や、個々の高齢者毎に係る要介護認定の区分を受付け、その受付けた注文に応じた映像等データと要介護認定の区分別に対応する体操他の映像を合わせて映像編集し、個々の高齢者宛てにデータ配信する、又はＤＶＤ等の視聴用電子媒体に出力する事の出来る技術やシステムはなかった。【解決手段】予め、各種の映像等のデータ、要介護認定区分別の映像等データ、及び映像等データの編集基準を記憶しておき、高齢者毎の家族、介護者又は介護を行う施設関係の情報端末から、個別の高齢者毎に見せたい又は見せたくない映像等のジャンルの注文や個別の高齢者毎の情報入力を受付け、入力情報及び設定された編集基準に基いて編集した映像等データを、高齢者毎の映像等の視聴用情報端末に送信する、又は、ＤＶＤ等の視聴用電子媒体に出力するシステム。【選択図】図１
2017168084.tif 000002
【特許請求の範囲】
【請求項１】
要介護認定者を含めた個々の高齢者（以下「高齢者」という）毎に対してデータを配信するため又は高齢者向けの視聴用電子媒体にデータを記録するために、映像や画像や音声や文字やゲーム（以下「映像等」という）のデータ（以下「映像等データ」という）をデータ編集する又はデータ配信する高齢者向け映像等データの編集又は配信システムであって、前記映像等データの編集又は配信システムは、記憶装置、表示及び選択受付手段、編集手段、受信手段及び送信又は出力手段を備え、高齢者に対する映像等データの配信サービス又は電子媒体の提供サービスを注文する依頼者又は高齢者毎に対して介護を行う家族や親族や介護者や介護施設等の担当者（以下合わせて「依頼者」という）の情報端末（以下「依頼者の情報端末」という）と、高齢者が配信された映像等を閲覧するための情報端末（以下「高齢者の情報端末」という）と、映像等データの配信サービス提供者の情報端末（以下「サービス提供者の情報端末」という）とに通信可能とされており、前記記憶装置には、要介護認定の区分（等級）毎に対応する映像等データと、ジャンルや年や学校名や地名に係る各種の情報（以下「各種ジャンル等情報」という）で分類又は配番された映像等データである編集用データ（以下「編集用データ」という）と、映像等データの配信先である個々の高齢者毎に係る情報（以下「高齢者情報」という）と、前記依頼者に係る情報（以下「依頼者情報」という）と、前記編集用データの編集の参考とする各種ジャンル等情報に係る項目毎の候補情報（以下「候補情報」という）と、映像等データの選定又は編集基準（以下「編集基準」という）との少なくともいずれか１つが格納されており、前記受信手段が前記依頼者の情報端末からの又は前記高齢者の情報端末からのアクセスを受信した場合には、前記表示及び選択受付手段が、前記記憶装置に記憶されている前記候補情報と要介護認定の区分（等級）の少なくともいずれか１つの選択又は入力の欄（以下「情報入力欄」という）を表示し前記依頼者に選択又は入力させた情報を前記記憶装置内の前記高齢者情報に紐付けて記憶する。その後、前記受信手段が前記高齢者の情報端末からのアクセスによる又は前記高齢者の情報端末にダウンロードされたアプリからのアクセスによる映像等データの閲覧注文データ（以下「閲覧注文データ」という）を受信した場合には、前記編集手段が前記記憶装置に記憶している前記閲覧注文データに係る前記高齢者情報と前記編集基準に基づいて、前記記憶装置に記憶している前記編集用データを選定して抽出又は編集して前記閲覧注文データに係る高齢者毎の配信用又は記録用の映像等データ（以下「個別の編集済みデータ」という）を編集し、前記送信手段から前記高齢者の情報端末宛に送信する又は視聴用電子媒体に記録することを特徴とする個々の高齢者向け映像等データの編集又は配信システム
【請求項２】
前記候補情報に、介護関連施設に係る地名、高齢者毎に係る年齢又は生まれた年代、性別、出身地やゆかりのある地名、出身校の名称情報の少なくともいずれか１つの情報（以下「地名等情報」という）を含む、及び、入力欄に前記地名地等情報の入力又は選択の欄を設置し、前記編集手段が、入力又は選択された前記地名地等情報に係る映像等データを、前記記憶装置に格納されている編集用データから選択し抽出して、前記個別の編集済みデータに加えて編集することを特徴とする請求項１に記載の前記個々の高齢者向け映像等データの編集又は配信システム
【請求項３】
前記情報入力欄に入力又は選択入力された情報に基づいて、前記個別の編集済みデータに係るプレイリストを作成することを特徴とする、請求項１にまたは請求項２に記載の個々の高齢者向け映像等データの編集又は配信システム
【請求項４】
前記受信手段が前記依頼者の情報端末からのアクセスを受信した場合には、前記表示及び選択受付手段が映像等データの入力用画面を表示し、前記入力用画面から入力を受付けた映像等データを用いて前記編集手段が前記個別の編集済みデータを作成又は編集することを特徴とする請求項１または請求項３に記載の前記個々の高齢者向け映像等データの編集又は配信システム
【請求項５】
前記候補情報には、前記個別の編集済みデータに挿入しないジャンル（以下「挿入不可ジャンル」という）の候補又は映像等を見せたくない個別の曜日や時間帯を表示し、前記編集手段が、前記依頼者が選択した前記挿入不可ジャンルに係るデータを挿入せず又は削除して、前記個別の編集済みデータを編集すること、指定の曜日や時間帯に映像等データを送信せず映像等を見せないこと、又は視聴用電子媒体に記録しないことを特徴とする請求項１または請求項４に記載の前記個々の高齢者向け映像等データの編集又は配信システム
【請求項６】
要介護認定の区分（等級）別に対応する映像等データは、２つ以上の別の要介護認定の区分（等級）に対応する同じ映像等データとして、データ配信すること又は視聴用電子媒体に記録することを特徴とする請求項１ないし請求項５に記載の前記個々の高齢者向け映像等データの編集又は配信システム
【請求項７】
前記依頼者の情報端末又は前記高齢者の情報端末に対して、前記依頼者が入力又は選択した高齢者毎に係る要介護認定の区分（等級）毎に対応した広告データを配信することを特徴とする請求項１ないし請求項６に記載の前記個々の高齢者向け映像等データの編集又は配信システム
【請求項８】
音声分析手段、返事編集手段、及び音声発信手段を具備し、及び、前記記憶装置には返事音声データを記憶しておき、前記高齢者の情報端末から送信された音声データを前記受信手段が受信した場合には、受信した音声データを前記音声分析手段で分析し回答に該当する前記返事音声データを前記記憶装置から選択し抽出又は編集し、前記送信又は出力手段から前記高齢者の情報端末宛に送信すること又は視聴用電子媒体に記録することを特徴とする請求項１ないし請求項７に記載の前記個々の高齢者向け映像等データの編集又は配信システム
【請求項９】
前記返事音声データを前記高齢者情報に係るロボット宛てに送信し、前記ロボットが音声で返事をすること、又はロボットに搭載された記憶装置に記録することを特徴とする請求項１ないし請求項８に記載の前記個々の高齢者向け映像等データの編集又は配信システム
【請求項１０】
前記高齢者の情報端末に係る高齢者を、身体障害者認定、難病認定、又は、その他の各種の病気等の身体や精神等のハンデキャップや病気や症状を公的機関又は指定機関から認定された人の、少なくともいずれか１つの人に代えて実施すること特徴とする請求項１ないし請求項９に記載の前記個々の高齢者向け映像等データの編集又は配信システム
【発明の詳細な説明】
【技術分野】
【０００１】本発明は、個々の高齢者に対する映像等データの配信サービスを注文する依頼者又は個別の高齢者毎に対して介護を行う家族や親族や介護者や介護施設等の担当者（以下合わせて「依頼者」という）の情報端末（以下「依頼者の情報端末」という）から、「自分又は介護施設に係る個々の高齢者毎に見せたい映像等のジャンル等のリクエスト」又は「要介護認定の区分（等級）」の少なくともいずれか１つの情報を受付け、その受付た情報の内容に対応して個々の高齢者毎向けの配信用の映像等のデータを作成又は編集して、インターネット経由で高齢者が映像等を視聴するための情報端末（以下「高齢者の情報端末」という）に配信する、又はＤＶＤ等の視聴用電子媒体に出力するコンピュータシステムに関する。
【背景技術】
【０００２】要介護認定者又は死亡者の残存データに対して、要介護認定の区分（等級）を受信したら、予め要介護認定の区分（等級）毎に記憶している依頼情報を実行する残存データ処理システムは存在した。
【先行技術文献】
【特許文献】
【０００３】
【特許文献１】特許５３９００３４号公報
【発明の概要】
【発明が解決しようとする課題】
【０００４】特許文献１に記載のシステムでは、要介護認定者の残存データに関して、要介護認定の区分（等級）を受信したら、予め要介護認定の区分（等級）毎に記憶している依頼情報を実行することは出来た。【０００５】しかしながら、特許文献１に記載のシステムでは、依頼者の情報端末からの自分又は介護施設に係る高齢者に見せたい映像等の依頼注文に基づいて、映像等データを編集した上で高齢者毎の情報端末にデータ配信することは出来なかった。及び、依頼者の情報端末からの要介護認定の区分（等級）毎の入力に対応して、予め記憶している依頼内容の実行が出来るだけであって、個々の高齢者が好んで視聴したい映像や画像や音声や文字やゲーム等のデータ（以下「映像等データ」という）のジャンルや年代や学校名や地名等の候補情報を注文情報として前記依頼者から受付けて、個々の高齢者毎に配信する映像等データを編集する事や配信する事は出来なかった。及び、高齢者毎に配信する映像等データに加えるための「個別の映像や画像や文字やゲーム等のデータ」を前記依頼者から受付けて編集に活用する事はできなかった。及び、前記依頼者に対して、前記依頼者に係る個々の高齢者に視聴させたい又は視聴させたくない映像等データのジャンルや年代や個別の映像等データ（以下「挿入不可ジャンル」という）を選択させ、その選択された前記挿入不可ジャンルに対応して編集された映像等データを個々の要介護認定者の情報端末に配信することや、送付するためにＤＶＤ等の電子媒体に出力することは出来なかった。そこで、前記依頼者が入力した映像等データに係る注文情報に応じて及び前記依頼者から受付けた各種データを挿入して、個々の高齢者に配信するための映像等データを編集し、個々の高齢者に向けてデータ配信を実行する、又は送付するためにＤＶＤ等の電子媒体に出力する情報処理が出来るシステム又は機能が望まれていた。【０００６】また、高齢者毎に向けた映像等データの配信は、個別の曜日及び時間帯別に配信する映像等データに係るジャンル又は番組（以下「指定番組」という）を配信用のタイムテーブル（以下「タイムテーブル」という）として設定して配信する。及び、映像等データを配信しない個別の曜日又は時間帯（以下「配信しない時間帯」という）を設定して送信しない事にすることで、特に認知症の高齢者の方が忘れてしまいがちな「曜日や時間」の感覚を持っていただくことに貢献するシステムも望まれていた。
【課題を解決するための手段】
【０００７】請求項１にかかる発明は、要介護認定者を含めた個々の高齢者（以下「高齢者」という）毎に対してデータを配信するため又は高齢者向けの視聴用電子媒体にデータを記録するために、映像や画像や音声や文字やゲーム（以下「映像等」という）のデータ（以下「映像等データ」という）をデータ編集する又はデータ配信する高齢者向け映像等データの編集又は配信システムであって、前記映像等データの編集又は配信システムは、記憶装置、表示及び選択受付手段、編集手段、受信手段及び送信又は出力手段を備え、高齢者に対する映像等データの配信サービス又は電子媒体の提供サービスを注文する依頼者又は高齢者毎に対して介護を行う家族や親族や介護者や介護施設等の担当者（以下合わせて「依頼者」という）の情報端末（以下「依頼者の情報端末」という）と、高齢者が配信された映像等を閲覧するための情報端末（以下「高齢者の情報端末」という）と、映像等データの配信サービス提供者の情報端末（以下「サービス提供者の情報端末」という）とに通信可能とされており、前記記憶装置には、要介護認定の区分（等級）毎に対応する映像等データと、ジャンルや年や学校名や地名に係る各種の情報（以下「各種ジャンル等情報」という）で分類又は配番された映像等データである編集用データ（以下「編集用データ」という）と、映像等データの配信先である個々の高齢者毎に係る情報（以下「高齢者情報」という）と、前記依頼者に係る情報（以下「依頼者情報」という）と、前記編集用データの編集の参考とする各種ジャンル等情報に係る項目毎の候補情報（以下「候補情報」という）と、映像等データの選定又は編集基準（以下「編集基準」という）との少なくともいずれか１つが格納されており、前記受信手段が前記依頼者の情報端末からの又は前記高齢者の情報端末からのアクセスを受信した場合には、前記表示及び選択受付手段が、前記記憶装置に記憶されている前記候補情報と要介護認定の区分（等級）の少なくともいずれか１つの選択又は入力の欄（以下「情報入力欄」という）を表示し前記依頼者に選択又は入力させた情報を前記記憶装置内の前記高齢者情報に紐付けて記憶する。その後、前記受信手段が前記高齢者の情報端末からのアクセスによる又は前記高齢者の情報端末にダウンロードされたアプリからのアクセスによる映像等データの閲覧注文データ（以下「閲覧注文データ」という）を受信した場合には、前記編集手段が前記記憶装置に記憶している前記閲覧注文データに係る前記高齢者情報と前記編集基準に基づいて、前記記憶装置に記憶している前記編集用データを選定して抽出又は編集して前記閲覧注文データに係る高齢者毎の配信用又は記録用の映像等データ（以下「個別の編集済みデータ」という）を編集し、前記送信手段から前記高齢者の情報端末宛に送信する又は視聴用電子媒体に記録することを特徴とする個々の高齢者向け映像等データの編集又は配信システムである。【０００８】かかる構成によれば、前記依頼者又は前記高齢者が選んだ「自分に係る高齢者が見たい又は聞きたいと前記依頼者が考える映像のジャンル、年代、学校又は地名等情報に係る映像等データ」と「自分に係る高齢者の要介護認定の区分（等級）に対応した医療ケアにつながるような映像等データ」とを合わせて、前記個別の編集済みデータを編集し、前記高齢者の情報端末宛にインターネット経由で配信する又はＤＶＤ等の電子媒体に出力することが出来るようになる。及び、予め設定しておく前記編集基準に基いて、個別の高齢者毎に対して、その人に必要と想定される医療ケア等の映像等データも挿入された映像等を見せることが出来る。【０００９】請求項２にかかる発明は、前記候補情報に、介護関連施設に係る地名、高齢者毎に係る年齢又は生まれた年代、性別、出身地やゆかりのある地名、出身校の名称情報の少なくともいずれか１つの情報（以下「地名等情報」という）を含む、及び、入力欄に前記地名地等情報の入力又は選択の欄を設置し、前記編集手段が、入力又は選択された前記地名地等情報に係る映像等データを、前記記憶装置に格納されている編集用データから選択し抽出して、前記個別の編集済みデータに加えて編集することを特徴とする請求項１に記載の前記個々の高齢者向け映像等データの編集又は配信システムである。【００１０】かかる構成によれば、前記依頼者が高齢者に係る出身地等情報を入力することで、前記依頼者に係る高齢者が、自分の昔の事を思い出すことのきっかけとなる高齢者毎の出身地や年代他に係る昔の映像や画像等を見ることが出来るようになる。【００１１】請求項３にかかる発明は、前記情報入力欄に入力又は選択入力された情報に基づいて、前記個別の編集済みデータに係るプレイリストを作成することを特徴とする、請求項１にまたは請求項２に記載の個々の高齢者向け映像等データの編集又は配信システムである。【００１２】かかる構成によれば、一度入力された情報に基づいて、自動的にシステムが映像等データを選択し対象の高齢者が好むと想定される映像等を流し続ける事が出来るようになる。【００１３】請求項４にかかる発明は、前記受信手段が前記依頼者の情報端末からのアクセスを受信した場合には、前記表示及び選択受付手段が映像等データの入力用画面を表示し、前記入力用画面から入力を受付けた映像等データを用いて前記編集手段が前記個別の編集済みデータを作成又は編集することを特徴とする請求項１または請求項３に記載の前記個々の高齢者向け映像等データの編集又は配信システムである。【００１４】かかる構成によれば、前記配信依頼者が入力してきた「自分又は介護施設に係る高齢者に見せたい個別の映像等データ」を前記個別の編集済みデータに挿入して編集し、前記高齢者の情報端末宛にインターネット経由で配信する、又はＤＶＤ等の電子媒体に出力することで、前記配信依頼者の入力映像等を自分又は介護施設に係る高齢者に見せることが出来る。【００１５】請求項５にかかる発明は、前記候補情報には、前記個別の編集済みデータに挿入しないジャンル（以下「挿入不可ジャンル」という）の候補又は映像等を見せたくない個別の曜日や時間帯を表示し、前記編集手段が、前記依頼者が選択した前記挿入不可ジャンルに係るデータを挿入せず又は削除して、前記個別の編集済みデータを編集すること、指定の曜日や時間帯に映像等データを送信せず映像等を見せないこと、又は視聴用電子媒体に記録しないことを特徴とする請求項１または請求項４に記載の前記個々の高齢者向け映像等データの編集又は配信システムである。【００１６】かかる構成によれば、前記依頼者が自分に係る高齢者に見せたくない映像等を要介護認定者に見せなくする事が出来るようになる。また、高齢者に映像等を全て見せたくない（データ配信しない）個別の曜日又は時間帯を設定する事も出来るようになる。【００１７】請求項６にかかる発明は、要介護認定の区分（等級）別に対応する映像等データは、２つ以上の別の要介護認定の区分（等級）に対応する同じ映像等データとして、データ配信すること又は視聴用電子媒体に記録することを特徴とする請求項１ないし請求項５に記載の前記個々の高齢者向け映像等データの編集又は配信システムである。【００１８】かかる構成によれば、別の要介護認定の区分（等級）である高齢者に向けて同じ映像等データを配信することが出来るようになる。例えば、前記要介護認定の区分（等級）が要介護４と要介護５の方々は、概ね立ち上がる事が困難な方々が多い。このような立ち上がる事が困難な方々に向けた同じ映像等データを、別の前記要介護認定の区分（等級）の方々（要介護４と要介護５）向けに送信する又はＤＶＤ等の電子媒体に出力することが出来る。【００１９】請求項７にかかる発明は、前記依頼者の情報端末又は前記高齢者の情報端末に対して、前記依頼者が入力又は選択した高齢者毎に係る要介護認定の区分（等級）毎に対応した広告データを配信することを特徴とする請求項１ないし請求項６に記載の前記個々の高齢者向け映像等データの編集又は配信システムである。【００２０】かかる構成によれば、前記依頼者又は前記高齢者に対して、要介護認定者毎の要介護認定の区分（等級）に対応した個別の広告を送信することが出来るようになる。【００２１】請求項８にかかる発明は、音声分析手段、返事編集手段、及び音声発信手段を具備し、及び、前記記憶装置には返事音声データを記憶しておき、前記高齢者の情報端末から送信された音声データを前記受信手段が受信した場合には、受信した音声データを前記音声分析手段で分析し回答に該当する前記返事音声データを前記記憶装置から選択し抽出又は編集し、前記送信又は出力手段から前記高齢者の情報端末宛に送信すること又は視聴用電子媒体に記録することを特徴とする請求項１ないし請求項７に記載の前記個々の高齢者向け映像等データの編集又は配信システムである。【００２２】かかる構成によれば、高齢者が、自分に合わせてインターネット等経由で配信された映像等データを見て、それに対して返事をした時には、それぞれの症状や状態や返事に合わせた「お答え」を音声で返すことが、本システムによって無人化で出来るようになる。【００２３】請求項９にかかる発明は、前記返事音声データを前記高齢者情報に係るロボット宛てに送信し、前記ロボットが音声で返事をすること、又はロボットに搭載された記憶装置に記録することを特徴とする請求項１ないし請求項８に記載の前記個々の高齢者向け映像等データの編集又は配信システムである。【００２４】かかる構成によれば、返事をする相手が、画像等を表示するディスプレイではなく、擬人化された対象となり、高齢者の方が返事が行いやすくなる。【００２５】請求項１０にかかる発明は、前記高齢者の情報端末に係る高齢者を、身体障害者認定、難病認定、又は、その他の各種の病気等の身体や精神等のハンデキャップや病気や症状を公的機関又は指定機関から認定された人の、少なくともいずれか１つの人に代えて実施すること特徴とする請求項１ないし請求項９に記載の前記個々の高齢者向け映像等データの編集又は配信システムである。【００２６】かかる構成によれば、要介護認定者を含む高齢者だけでなく、身体障害者認定、難病認定、又はその他の各種の病気等の身体や精神等のハンデキャップや病気や症状を公的機関又は指定機関から認定された人に対しても、上記のような高齢者向けの映像データ配信サービス、又は電子媒体の提供サービスと同様のサービスの提供が出来るようになる。
【発明の効果】
【００２７】本発明によれば、前記依頼者が、自分に係る高齢者又は介護施設に係る高齢者に代わって、個々の高齢者に係る情報を入力する事で、情報が入力された高齢者毎に合った又は好む映像等を、情報が入力された高齢者が映像等を観ることの出来る情報端末宛てに、インターネット経由等により送信する事が出来る。これは、高齢者毎に係る情報を知っている高齢者自身以外の人が、個々の高齢者に係る情報を入力する事で、その入力された高齢者に合った又は好む映像等を、高齢者が映像等を観せることの出来るという事である。及び、高齢者に係る要介護認定者の要介護認定の区分（等級）に対応した、例えば個々の高齢者毎に必要と想定される医療ケア等のような映像等データとを合わせて編集し、個々の前記高齢者の情報端末宛に配信を依頼することも出来る。及び、その編集された映像等データが出力されたＤＶＤ等の電子媒体が作成され、そのＤＶＤ等の電子媒体によって高齢者毎に見せることが出来るようになる。及び、前記依頼者が自分に係る高齢者に見せたい又は聞かせたい映像や画像や音声や文字やゲーム等のデータを入力すると、配信される映像等データと合わせて編集され、自分に係る高齢者に見せる又は聞かせることも出来るようになる。及び、前記配信依頼者が自分に係る高齢者に見せたくない又は聞かせたくないジャンルの映像等データを、自分に係る高齢者に見せない又は聞かせないようにすることも出来るようになる。また、前記高齢者自身が自分に係る情報を入力することで、自分の視聴したい映像等の配信や観ることも出来るようになる。【００２８】尚、要介護認定の区分（等級）とは、公的な機関が個別の要介護認定者毎に対して、その人の個別の状態や他者の介護を必要とする時間等を参考にし、公的機関が決定した上で個々人に対して付与している公的な要介護認定制度に係る区分（等級）であり、具体的には、自分で生活が出来ない状態が軽いから重いに向かって、又は他者の介護を必要とする時間が少ないから多いに向かって、要支援１、２、要介護１、２，３，４、５の順で定められている。そこで、この信頼に足る公的に決定されている要介護認定制度に係る区分（等級）に対応する映像等データを、個別の要介護認定者に見せることは、個別の要介護認定者毎の状況に応じた映像等データを見せることになる。例えば、要支援１〜要介護２の方は概ね歩行や立っての体操の実施は可能であり、それらの方々には、歩いて行う体操等の映像等データを見せて体操を行ってもらえる、また、一方で要介護４や５の方は、概ね寝たきり状態の人が多く、それらの人には、寝たきりでも出来る顔の体操（例えば、寝たきり状態で懸念される「嚥下」に役立つ顔の体操など）の映像等データを見せて体操を行ってもらうというように、それぞれの要介護認定制度に係る区分（等級）毎に対応した映像等データを見てもらうことで、それぞれの人毎の症状等の改善に役立てていただくことが可能となるのである。逆に言えば、それぞれの要介護認定者毎の状況に応じた映像等データを見せないこと、例えば、寝たきり状態の要介護４や５の方に、歩いて行う体操の映像データを見せることは無意味であるとともに、要介護５の方に不快感や悲しい思いをさせることになり、それを防止する効果となるのである。【００２９】また、前記依頼者又は前記高齢者自身が依頼して、個別の高齢者毎の出身校や出身地やゆかりのある地域の昔の映像等データを高齢者の方々に見せる又は聞かせる事が出来るようになる。その効果の１つとして、高齢者に多く含まれる「認知症患者」に対する医療的ケアである「回想法」を前記依頼者や医療又は介護の従事者に代わって高齢者に対して実施が出来る事も含まれる。この「回想法」とは「認知症患者」に昔の物や映像等を見せることにより「認知症患者」に自分の昔の記憶を呼び起こさせるという医療ケアの方法であり、「認知症患者」は昔の記憶を呼び起こすことで脳が活性化され認知症の医療的ケアとなる、というものである。要介護認定の区分（等級）は認知症の症状の各レベルに連動しており、本発明のシステムを使用して前記依頼者が自分に係る要介護認定者（認知症患者）が昔の記憶を呼び起こすと考えるジャンルや映像等データを見せる事が出来ることは、この「回想法」を、前記依頼者又は医療や介護の従事者代わって高齢者（認知症患者）毎に対応して実施することが出来るようになるのである。及びそもそも認知症患者の人は、自分の好んでいた映像等を認知できない又は覚えていない可能性が高くそれを前記依頼者が認知症患者（要介護認定者）に代わって注文できるとことも本発明の技術による効果である。【００３０】また、同時に、高齢者の情報端末に向けた映像等データの送信を、高齢者に見せたくない映像等の１つのパターンとして、映像等データを全て見せたくない（データ配信しない）個別の曜日又は時間帯を設定して、映像等データを配信しない個別の曜日又は時間帯を設定する事も出来る。これにより、現在、増加の一途をたどっている認知症の高齢者の方々が喪失しがちな「曜日や時間の感覚」を取り戻していただく事や、時間感覚の喪失による昼夜の生活パターンの逆転現象の防止に貢献することが出来るようになる。【００３１】また、前記依頼者又は前記高齢者に対して、前記依頼者に係る要介護認定者の要介護認定の区分に対応した広告を送信することが出来るようにもなる。及び、前記編集済みデータの配信先を高齢者に代えて、身体障害者認定、難病認定、又はその他の各種の病気等の身体や精神等のハンデキャップや病気や症状を公的機関又は指定機関から認定された人にも出来ることで、それらの方々にも前記依頼者が選んだ又は入力した映像等データが配信され見せられるようになる。及び、高齢者及びそれらの方々が、自分宛に配信されてきた映像等データを見て返事をした時に、その返事に対して、それぞれの症状や状態に合わせた返事を行うことが無人化で実施が出来るようになる。そして、その返事をする相手が、画像等を表示するディスプレイだけではなく擬人化された対象（ロボット）となり、返事がしやすくなる。
【図面の簡単な説明】
【００３２】
【図１】個々の高齢者毎向け映像等データの編集又は配信システムのブロック図である。
【図２】情報処理の大枠の概要図である。
【図３】配信注文データの１例を示す図である。
【図４】配信するタイムテーブルの１例を示す図である。
【発明を実施するための形態】
【実施例１】
【００３３】次に、本発明の実施形態の１つの例を、適宜図面を参照しながら詳細に説明する。図１は個々の高齢者毎向け映像等データの編集又は配信システムのブロック構成図の１例である。個々の高齢者毎向け映像等データの編集又は配信システム（１）は、記憶装置（２）、表示及び選択受付手段（３）、編集手段（４）、受信手段（５）、及び送信又は出力手段（６）で構成されており、受信手段（５）と送信又は出力手段手段（６）は、インターネット等のネットワークに接続している。また、インターネット等のネットワークを経由して、個別の高齢者宛ての映像等データの配信を依頼する依頼者の情報端末（７）と、その依頼者が指定する映像等データの配信先である高齢者の情報端末（８）と、映像等データ配信サービスのサービス提供者の情報端末（９）とに通信可能となっている。そして、前記記憶装置（２）には、各種のジャンル、年代、地域又は学校等の各情報毎に分類又は配番された映像や画像や音声や文字のデータで映像等データの編集に用いるための編集用データ（以下「編集用データ（１０）」という）、要介護認定の区分毎の映像等データ（１１）、依頼者情報（１２）、高齢者情報（１３）、依頼者から送信されてきた映像等データ（１４）、候補情報（１５）、及び、編集基準（１６）が記憶されている。【００３４】前記個々の高齢者毎向け映像等データの編集又は配信システム（１）の行う情報処理の大枠は、図２で例示するように、前記依頼者の情報端末（７）から、自分に係る高齢者に見せたい映像等に係る各種情報を送信し、前記個々の高齢者毎向け映像等データの編集又は配信システム（１）から、前記高齢者の情報端末に対して、前記依頼者の情報端末（７）からの情報に基づいて選択された映像等データが配信されるという内容である。詳細としては次の通りである。まず、前記個々の高齢者毎向け映像等データの編集又は配信システム（１）が、予め、前記サービス提供者の情報端末（９）から、前記編集用データ（１０）、前記要介護認定の区分毎の映像等データ（１１）、前記依頼者情報（１２）、前記高齢者情報（１３）前記候補情報（１５）、及び前記編集基準（１６）を、インターネット等のネットワーク経由で又は直接入力により受信し、前記記憶装置（２）に記憶しておく。尚、前記依頼者からの「自分に係る高齢者に見せたい映像等データの注文の依頼」に対応した各種の映像等データを編集するために、前記記憶装置（２）に記憶しておく個々の前記編集用データ（１０）には、個々のデータに係るジャンルや年代や特徴や地域情報等も、予め紐付けて記憶しておくとよい。尚、前記編集用データ（１０）及び前記要介護認定の区分毎の映像等データ（１１）のデータは、前記映像等データである。【００３５】その後、前記依頼者の情報端末（７）からのアクセスを、インターネット等のネットワーク経由で前記受信手段（５）が受付けると、前記表示及び選択受付手段（３）が前記記憶装置に記憶されている前記候補情報（１５）を前記依頼者の情報端末（７）に対して表示し、依頼者が自分に係る高齢者に対しての映像等データの配信を依頼したい「映像等データに係るジャンルや年代や学校名や地域情報等」の情報を前記候補情報（１５）の中から選択させる又は記載欄を設けて記載させ、その選択又は記載の各情報を配信注文データ（１７）として前記編集手段（４）に送る。また、図３で例示するように、前記配信注文データ（１７）には、前記依頼者を特定する前記依頼者情報（１２）と、前記映像等データの配信指定先である前記高齢者の情報端末（８）の電子メール等の配信先情報を含んだ前記高齢者情報（１３）と、前記依頼者が入力した映像等データ（１４）と、前記候補情報（１５）の中から選択された自分に係る高齢者に見せたい映像等データのジャンルと年代の情報と、見せたくないジャンルの情報とが含まれている。尚、前記依頼者が入力した映像等データ（１４）の入力画面は、入力及び編集用システムと連動もしており前記依頼者が入力した映像等データ（１４）を配信用の映像等データに依頼者自身で編集して入力が出来るようにしてもよい。尚、前記高齢者情報（１３）には、年齢、出身地、出身の学校名などの、入力された配信先である高齢者にゆかりのある映像等データを作成又は編集するために、各種データを抽出するためのキーとなる情報が含まれている。【００３６】その後、前記編集手段（４）は、受取った前記配信注文データ（１７）に基づいて前記記憶装置（２）に記憶されている前記編集用データ（１０）と前記要介護認定の区分毎の映像等データ（１１）と前記依頼者が入力した映像等データ（１４）とを用いて個別の要介護認定者に送信するための映像等データ又はＤＶＤ等の電子媒体に出力するための映像等データである配信用データ（以下「個別の映像等配信データ（１８）」という）を編集する。尚、この前記配信注文データ（１７）に基づいての情報の選択や編集は、前記記憶装置（２）に記憶されている前記編集基準（１６）を参考に実施される。具体例の１つとして、編集時には、前記配信注文データ（１７）内に記載の高齢者に係る要介護認定の区分（等級）に従って、前記記憶装置（２）から要介護認定の区分毎に係る前記要介護認定の区分毎の映像等データ（１１）を選択して抽出し使用するようにする。例えば、要介護１と要介護認５では、それぞれの身体や心の状況に応じて、それぞれの要介護認定の区分の人に必要な体操や健康法等は異なり、それぞれの区分に応じた体操や健康法等が送信される必要がある。また、個々の要介護認定者の健康等の身体の状況に応じて見られたくない映像のジャンルもあり、その場合には、前記配信注文データ（１７）内に見せたくないジャンルが記載され、その記載内容に従って選択抽出した映像等データの中から、その見られたくないャンルの映像等データを削除して編集する又は編集に際して前記記憶装置から抽出しないようにする。映像等データの内容が主に娯楽（昔の映画、ドラマ、歌、昔の風景、ニュース映像、ＣＭ、及びそれらを用いて新たに制作した映像等）のデータである前記編集用データ（１０）の場合には、その中に、医療、認知症等の病気のケアや健康に係る前記要介護認定の区分毎の映像等データ（１１）を挟み込んで編集するデータ毎の割合や時間配分を、要介護認定の区分（等級）、性別、年齢別、又は予め設定する区分毎に設定できるようにしても良い。【００３７】及び、前記編集手段（４）が、前記依頼者の情報端末（７）から送信され前記記憶装置（２）に記憶された前記依頼者が入力した映像等データ（１４）を、予め定めた又は提示しておいた編集方法を行う情報処理によって前記映像等データとして編集してもよいし、前記依頼者の情報端末（７）からの操作によって編集することが出来るようにしてもよい。以上のような前記配信注文データ（１７）に基づいた情報処理により前記編集手段（４）が編集し完成した前記個別の映像等配信データ（１８）は、前記編集手段（４）から前記送信又は出力手段（６）に送られ、前記送信又は出力手段（６）が前記配信注文データ（１６）内の前記要介護認定者情報（１３）に含まれている配信指定先である前記高齢者の情報端末（８）宛てに、インターネット等のネットワーク経由で送信する。又は、個別にＤＶＤ等の電子媒体に出力する。また、前記高齢者の情報端末（８）への前記個別の映像等配信データ（１８）の配信は、前記高齢者の情報端末（８）からの前記閲覧注文データを前記受信手段（５）が受信した場合に送信するように設定してもよい。尚、個別にＤＶＤ等の電子媒体に出力する場合には、前記高齢者情報（１３）に含まれている送付指定先の住所等も送付作業に用いるために合わせて出力されるようにするとよい。【００３８】また、高齢者向け映像等データの配信サービスを行うサービス提供者は、前記サービス提供者の情報端末（９）から、前記記憶装置（２）に記憶している前記依頼者情報（１２）に含まれる前記依頼者の情報端末（７）に向けて、インターネット等のネットワーク経由で広告等を配信する事も出来る、又は、前記表示及び選択受付手段（３）が前記候補情報（１５）を表示する画面（前記依頼者のマイページ等）に表示するようにしてもよい。そして、それらの場合には、前記依頼者情報（１２）に係る前記高齢者情報（１３）の要介護認定の区分（等級）に合わせた広告の送信や、前記高齢者情報（１３）内の要介護認定の区分毎のみを対象とした広告データの送信や表示も出来る。また、本システムをの利用方法の１つとして、前記依頼者情報（１２）に係る前記高齢者情報（１３）の誕生日の前に、前記依頼者情報（１２）宛てに「高齢者の誕生日プレゼントの送付を勧める等の前記高齢者情報（１３）と前記依頼者情報（１２）の関連を利用した広告」の配信も出来る。
【実施例２】
【００３９】次に、前記個別の映像等配信データ（１８）を、前記高齢者の情報端末（８）に配信する場合に、配信する曜日等の時間帯（以下「指定配信時間帯」という）を予め指定して配信する場合について説明する。まず、前記記憶装置（２）の前記高齢者の情報端末（８）毎に係る前記個別の映像等配信データ（１８）の指定配信時間帯を記憶しておく。そして、指定時間帯について、前記高齢者の情報端末（８）毎に前記個別の映像等配信データ（１７）を前記送信又は出力手段（６）から配信する。及び、指定時間帯の中に、図４で例示するような、個別の曜日及び個別の時間帯別に配信する個々の映像等データに係るジャンル又は番組（以下「指定番組」という）を、配信用のタイムテーブル（以下「タイムテーブル」という）として設定し前記記憶装置（２）に記憶し、それにタイムテーブル内に指定されている番組等に従って、個別の番組が配信される時間の到来時に合わせて、配信指定の番組に係る前記個別の映像等配信データ（１８）を、個別に前記編集手段（４）が編集して、前記送信又は出力手段（６）から、タイムテーブル内に記載の個別番組の指定配信時間帯に合わせて配信するようにする。例えば、図３に記載のように、指定時間、例えば、平日午前７時には、決まって「時報コメント（曜日と午前７時を伝える）」が配信されるというように。及び、前記個別の映像等配信データ（１８）を配信しない個別の曜日又は時間帯（以下「配信しない時間帯」という）を設定し、映像等データを配信しない事にするようにする。これらによって、高齢者及び特に高齢者の中の認知症の方々に対して、それらの方々が喪失してしまいがちな「曜日や時間」の感覚を、タイムテービルに沿った前記個別の映像等配信データ（１８）又は番組が配信され見ていただく事や、配信しない時間帯に映像等データが見れない事を認識する事によって気付いていただく事、又は「曜日や時間」の感覚を思い出していただく事に、強く貢献が出来るようにもなるのである。
【実施例３】
【００４０】次に、予め前記記憶装置（２）に記憶されている要介護認定の区分（等級）毎に対応する編集済み又は完成済みの映像等データ（例えば、要介護認定の区分別に編集済みの番組）を、前記依頼者又は高齢者自身からの依頼（注文）に基づいて、インターネット等のネットワークを経由して、前記高齢者の情報端末（８）に前記映像等データを送信する場合について及び、個別にＤＶＤ等の電子媒体に出力する場合ついて説明する。まず、インターネット等のネットワークを経由して、前記依頼者の情報端末（７）又は前記高齢者の情報端末（８）から前記受信手段（５）にアクセスされる。すると、前記表示及び選択受付手段（３）が、配信注文を受付ける欄の中に必ず「要介護認定者の属する要介護認定の区分」の入力又は選択させる欄を設置し入力された上で、その入力さえた情報を含んだ前記配信注文データ（１６）を作成して前記編集手段（４）に送る。すると、前記編集手段（４）は、受取った前記配信注文データ（１７）に基づいて前記記憶装置（２）に記憶している前記要介護認定の区分毎に対応する映像等データを抽出し、前記送信又は出力手段（６）から前記高齢者の情報端末（８）又は前記依頼者の情報端末（７）にインターネット等のネットワークを経由して送信する。又は郵送等するために個別にＤＶＤ等の電子媒体に出力する。尚、予め前記記憶装置（２）に記憶されている要介護認定の区分（等級）毎に対応する編集済みの映像等データには、要介護認定の区分（等級）別に対応する体操等（例えば、認知症を予防する又は進行を遅らせる体操）又は広告の映像等データも含めて編集し完成させて記憶させておく。このような情報処理の実施により、前記依頼者又は要介護認定者は、前記依頼者に係る高齢者（要介護認定者）自身の要介護認定の区分（等級）に応じた映像等データを、前記依頼者に係る高齢者の情報端末宛への配信を注文及び配信を実行する事が出来る。又は郵送等で個別にＤＶＤ等の電子媒体を送付することができる。尚、高齢者（要介護認定者）自身が、自分で前記高齢者の情報端末（８）を用いて、自分の要介護認定の区分（等級）に応じた映像等データの配信又はＤＶＤ等の電子媒体での送付を注文し、配信又は送付を受ける事も出来るようにもなるのである。
【実施例４】
【００４１】次に、インターネット等のネットワークを経由して、前記依頼者の情報端末（７）及び前記要介護認定者の情報端末（８）とが通信可能になっている事を活用して、次のような高齢者の見守りサービス機能を提供する場合について説明する。まず、前記要介護認定者の情報端末（８）での前記個別の映像等配信データ（１８）の受信又は閲覧情報を、前記依頼者の情報端末（７）に送信し表示させるようにする。この表示は、電源のオンオフの時間、その間の閲覧又は受信時間、どのような映像を見たか、どのような映像等が良く見られているか、どんな映像等が見られていないか等を表示するようにすると良い。これによって、前記依頼者が自分に係る要介護認定者の状況や状態、又は好んでみる映像等や嫌いな映像等を把握することが出来るようになる。これは、遠くはられた親（要介護認定者）の見守り機能ともなる。また、そのためには、前記要介護認定者の情報端末（８）の電源をオフにさえた（切られた）時点で、前記送信又は出力手段（６）からの送信が自動的に停止する機能を持つと良い。【００４２】及び、前記送信又は出力手段（６）からのインターネット等のネットワーク経由で送信の継続時間又は前記要介護認定者の情報端末（８）の受信時間が、予め指定した時間を超えた場合又は超えたことを確認した場合には、前記表示及び選択受付手段（４）が前記記憶装置に記憶している前記依頼者情報（１３）内の電話番号宛てにワンタッチで電話を掛けることの出来るボタン等の印の表示を前記高齢者の情報端末（８）に行う、又は前記高齢者の情報端末（８）から自動的に電話が掛る機能を持たせてもよい。それによって、映像等データを閲覧している高齢者が前記高齢者の情報端末（８）のスイッチをオフに出来ない状態（倒れた等）の時に簡単に前記依頼者に電話で連絡することが出来るようにもなる。
【産業上の利用可能性】
【００４３】本発明は、携帯電話端末、ＰＤＡ（Ｐｅｒｓｏｎａｌ  Ｄｉｇｉｔａｌ  Ａｓｓｉｓｔａｎｔ）等の携帯端末、ＰＣ（パーソナルコンピュータ）、大型コンピュータ等のシステムの各サーバ又は端末装置に利用することが可能である。
【符号の説明】
【００４４】（１）個々の高齢者毎に編成した映像等データの配信システム
（２）記憶装置
（３）表示及び選択受付手段
（４）編集手段
（５）受信手段
（６）送信又は出力手段
（７）前記依頼者の情報端末
（８）高齢者の情報端末
（９）サービス提供者の情報端末
（１０）編集用データ
（１１）要介護認定の区分毎の映像等データ
（１２）依頼者情報
（１３）高齢者情報
（１４）依頼者から送信されてきた映像等データ
（１５）候補情報
（１６）編集基準
（１７）配信注文データ
（１８）個別の映像等配信データ
【図１】
2017168084.tif 000003
【図２】
2017168084.tif 000004
【図３】
2017168084.tif 000005
【図４】
2017168084.tif 000006